(57)【特許請求の範囲】
【請求項１】
材料を手配しその材料を他の部門に引渡して加工を依頼する依頼部門と、この依頼部門から材料の引渡しを受けてこれに加工を加える加工部門があって、前記依頼部門から引き渡された材料が最後に依頼部門に戻されるようにされ、前記材料は木材であって、前記加工部門は前記木材をプレカットする工場である場合において、
前記依頼部門には、
全ての前記材料を区別できるように前記木材に付けられた識別マークを読み取って、引渡し情報を生成し、記憶装置に記録する第１の記録手段が設けられ、
前記引渡し情報は、前記識別マークと、前記依頼部門が前記加工部門に前記木材を引渡して加工を依頼した依頼日とを含み、
前記加工部門において、前記依頼部門から引渡しを受けた前記木材が分割されて得られた全てのプレカット材には、前記材料の識別マークとは異なる新たな識別マークが印刷されており、
前記新たな識別マークは、前記材料の識別マークと、同一の材料から切断して加工された分割後のものであることと、いくつに分割された何番目のものであるかを表すものとを含み、
前記依頼部門には、
前記プレカット材が前記加工部門から戻されたときに、前記プレカット材に付された前記新たな識別マークを読み取り、戻し情報を記憶装置に記録する第３の記録手段が設けられ、
前記戻し情報には、
前記新たな識別マークと、前記加工部門から前記依頼部門にプレカット材を戻した戻し日を含むことを特徴とする材料加工管理システム。
【請求項２】
請求項１に記載の材料加工管理システムにおいて、
前記依頼部門には、前記記憶装置に記憶された前記引渡し情報と前記戻し情報を参照して、前記各プレカット材に付された新たな識別マークと、そのプレカット材が前記加工部門から前記依頼部門に戻されたことを示す表示とを含む管理テーブルを生成する管理手段が設けられていることを特徴とする材料加工管理システム。
【請求項３】
材料を手配しその材料を他の部門に引渡して加工を依頼する依頼部門と、この依頼部門から材料の引渡しを受けてこれに加工を加える加工部門があって、前記依頼部門から引き渡された材料が最後に依頼部門に戻されるようにされ、前記材料は木材であって、前記加工部門は前記木材をプレカットする工場である場合において、
前記加工部門には、
前記依頼部門から引渡しを受けた前記木材が、ストックヤードから取り出されて前記木材をプレカットする加工機にセットされたとき、この加工直前に、全ての前記材料を区別できるように前記木材に付けられた材料の識別マークを読み取って加工情報を生成して、記憶装置に記録する第２の記録手段が設けられ、
前記加工情報は、前記材料の識別マークと、前記加工機によって材料が加工された加工日とを含み、
さらに、前記加工部門には、
前記木材が分割されて得られるプレカット材に対して、プレカット前またはプレカット後に、前記材料の識別マークとは異なる新たな識別マークを印刷するマーキング手段が設けられ、
前記新たな識別マークは、前記材料の識別マークと、同一の材料から切断して加工された分割後のものであることと、いくつに分割された何番目のものであるかを表すものを含むことを特徴とする材料加工管理システム。
【請求項４】
材料を手配しその材料を他の部門に引渡して加工を依頼する依頼部門と、この依頼部門から材料の引渡しを受けてこれに加工を加える加工部門があって、前記依頼部門から引き渡された材料が最後に依頼部門に戻されるようにされ、前記材料は木材であって、前記加工部門は前記木材をプレカットする工場である場合において、
前記加工部門から前記依頼部門に戻される全てのプレカット材には、前記依頼部門から引き渡された材料に付けられた、全ての材料を区別できる材料の識別マークと、同一の材料から切断して加工された分割後のものであることと、いくつに分割された何番目のものであるかを表すものとを含む、新たな識別マークが印刷されていることを特徴とするプレカット材。
【発明の詳細な説明】
【０００１】
【発明の属する技術分野】
本発明は加工される材料の流れを正確に管理する材料加工管理システムに関する。
【０００２】
【従来の技術】
住宅建設のための契約をすると、住宅メーカーは住宅を設計して住宅建設に必要な材料を手配する。手配された材料はプレカット工場に搬入されてプレカット処理が行われる。プレカットされた材料は住宅の建設現場に運搬されて、建設工事に使用される。このようなシステムにおいて、住宅建設を受注する営業部門と、材料をプレカット処理する工場部門と、実際に住宅建設工事を行う工事部門とがそれぞれ独立採算性を採用している場合がある。この場合には、営業部門が手配をして購入した材料（木材）をいったん所定の仕切り価格で工場部門に売却し、工場部門でプレカット処理後に、工賃を上乗せした額でプレカット後の材料を買い戻すという処理が行われている。
【０００３】
【発明が解決しようとする課題】
上記のような従来の技術には、次のような解決すべき課題があった。
プレカット工場に材料を搬入しても、工事の進捗に合わせてプレカット処理を行うために、数カ月の間材料を工場に保管することがある。しかしながら、このように材料を工場に保管している間に、材料の相場価格が変動することも少なくない。もし、材料の相場価格に合わせて営業部門から工場部門への仕切り価格や工事部門から営業部門への買い戻し価格が変動すると、工事部門の収益が変動して経営が不安定になる。例えば材料の価格が高騰すると、プレカットした材料の買い戻し価格は上がるから利益が増えるが、反対に、材料の価格が暴落すると、仕切り価格よりも材料の買い戻し価格が下がり、工賃を回収することができなくなる。そこで、材料価格の相場変動を営業部門側が吸収して、可能な限り一定の仕切り価格で材料を工場部門に引渡し、一定の買い戻し価格でプレカット後の材料を引き取る方法を採用することが考えられる。
【０００４】
ところが、工場部門が利益の追求を優先して、相場価格よりも安く仕入れた材料を用いて加工した製品を営業部門以外に売り渡した場合には、営業部門は相応の損害を被る。また、相場価格が安い場合に、安い材料を仕入れてプレカットをし、営業部門に売り渡すことも考えられる。この場合にも営業部門で損害が生じるほか、支給した材料以外の材料を使用されると材料の品質管理ができなくなる。これは、作為的でなく管理上のミスによってもおこり得る。一本の材料から複数本のプレカット材が生産される場合もあるから、どの材料からプレカットされたものか管理をするのは容易でない。しかも、こうした事態が発生すると営業部門と工場部門との相互協力関係を壊す原因になる。したがって、営業部門から引き渡された材料は残らずその営業部門に買い戻されるという材料の流れを自動的に管理するシステムが要求される。
【０００５】
【課題を解決するための手段】
本発明は以上の点を解決するため次の構成を採用する。
〈構成１〉
材料を手配しその材料を他の部門に引渡して加工を依頼する依頼部門と、この依頼部門から材料の引渡しを受けてこれに加工を加える加工部門があって、前記依頼部門から引き渡された材料が最後に依頼部門に戻されるようにされ、前記材料は木材であって、前記加工部門は前記木材をプレカットする工場である場合において、
前記依頼部門には、
全ての前記材料を区別できるように前記木材に付けられた識別マークを読み取って、引渡し情報を生成し、記憶装置に記録する第１の記録手段が設けられ、
前記引渡し情報は、前記識別マークと、前記依頼部門が前記加工部門に前記木材を引渡して加工を依頼した依頼日とを含み、
前記加工部門において、前記依頼部門から引渡しを受けた前記木材が分割されて得られた全てのプレカット材には、前記材料の識別マークとは異なる新たな識別マークが印刷されており、
前記新たな識別マークは、前記材料の識別マークと、同一の材料から切断して加工された分割後のものであることと、いくつに分割された何番目のものであるかを表すものとを含み、
前記依頼部門には、
前記プレカット材が前記加工部門から戻されたときに、前記プレカット材に付された前記新たな識別マークを読み取り、戻し情報を記憶装置に記録する第３の記録手段が設けられ、
前記戻し情報には、
前記新たな識別マークと、前記加工部門から前記依頼部門にプレカット材を戻した戻し日を含むことを特徴とする材料加工管理システム。
【０００６】
〈構成２〉
請求項１に記載の材料加工管理システムにおいて、
前記依頼部門には、前記記憶装置に記憶された前記引渡し情報と前記戻し情報を参照して、前記各プレカット材に付された新たな識別マークと、そのプレカット材が前記加工部門から前記依頼部門に戻されたことを示す表示とを含む管理テーブルを生成する管理手段が設けられていることを特徴とする材料加工管理システム。
【０００７】
〈構成３〉
材料を手配しその材料を他の部門に引渡して加工を依頼する依頼部門と、この依頼部門から材料の引渡しを受けてこれに加工を加える加工部門があって、前記依頼部門から引き渡された材料が最後に依頼部門に戻されるようにされ、前記材料は木材であって、前記加工部門は前記木材をプレカットする工場である場合において、
前記加工部門には、
前記依頼部門から引渡しを受けた前記木材が、ストックヤードから取り出されて前記木材をプレカットする加工機にセットされたとき、この加工直前に、全ての前記材料を区別できるように前記木材に付けられた材料の識別マークを読み取って加工情報を生成して、記憶装置に記録する第２の記録手段が設けられ、
前記加工情報は、前記材料の識別マークと、前記加工機によって材料が加工された加工日とを含み、
さらに、前記加工部門には、
前記木材が分割されて得られるプレカット材に対して、プレカット前またはプレカット後に、前記材料の識別マークとは異なる新たな識別マークを印刷するマーキング手段が設けられ、
前記新たな識別マークは、前記材料の識別マークと、同一の材料から切断して加工された分割後のものであることと、いくつに分割された何番目のものであるかを表すものを含むことを特徴とする材料加工管理システム。
【０００８】
〈構成４〉
材料を手配しその材料を他の部門に引渡して加工を依頼する依頼部門と、この依頼部門から材料の引渡しを受けてこれに加工を加える加工部門があって、前記依頼部門から引き渡された材料が最後に依頼部門に戻されるようにされ、前記材料は木材であって、前記加工部門は前記木材をプレカットする工場である場合において、
前記加工部門から前記依頼部門に戻される全てのプレカット材には、前記依頼部門から引き渡された材料に付けられた、全ての材料を区別できる材料の識別マークと、同一の材料から切断して加工された分割後のものであることと、いくつに分割された何番目のものであるかを表すものとを含む、新たな識別マークが印刷されていることを特徴とするプレカット材。
【００１１】
【発明の実施の形態】
以下、本発明の実施の形態を具体例を用いて説明する。
図１は、本発明の材料加工管理システムの具体例を示す説明図である。
図に示す依頼部門１０は、営業部門のように材料を手配し、その材料を他の部門に引渡して加工を依頼する部門である。加工部門２０は、依頼部門から材料の引渡しを受けてこれに加工を加える、例えば、プレカット工場のような部門である。これらは同一の企業に所属していてもよいし、別々の企業であってもよい。依頼部門１０の部分には、この図では、手配をした木材１だけを図示した。この木材１が加工部門２０に引き渡され、加工が依頼される。このために、木材１に対して、あらかじめ全ての他の木材と区別して管理できるような識別マーク３が施される。
【００１２】
この識別マーク３は例えばバーコードであってもよいし、数字であってもよい。全ての材料を区別できるようにするには、例えば入荷日や材料の種類、出荷日その他の情報を組み合わせた番号をそのつど生成すればよい。また、識別マーク３は、木材１に印刷されてもよいし、ラベルのようにして貼り付けられたものでもよい。依頼部門１０には、第１の記録手段５が設けられている。この第１の記録手段５は、木材１に付けられた識別マークを読み取って、その情報を記憶装置２１に記録する機能を持つ。バーコード読みとり装置のようなものが適する。ここで、第１の記録手段５が識別マーク３を読み取って記憶装置２１に記憶する情報を、引渡し情報２２と呼ぶことにする。
【００１３】
加工部門２０には、依頼部門１０から引渡しを受けた木材１の識別マーク３を読み取って、記憶装置２１に記録する第２の記録手段６が設けられている。この第２の記録手段６が記憶装置２１に記録する情報を加工情報２３と呼んでいる。通常、加工部門に木材１が受け入れられると、木材はまず、図示しないストックヤードに保管される。そして下降処理、例えば、プレカット処理を行う際に、ストックヤードから取り出され、加工機１１にセットされる。第２の記録手段６は、この加工直前に、加工情報２３を生成し、記憶装置２１に記録する。加工機１１は、木材１をあらかじめ定められた設計情報に基づいてプレカットする装置である。加工情報には、この設計情報の一部が含まれていてもよい。
【００１４】
プレカット処理によって元の木材１は何分割かされ、プレカット材８が得られる。ここで各プレカット材８には、マーキング手段１２によって、識別マーク９が印刷される。プレカット材８に付される識別マーク９の形式も、識別マーク３と同様に自由である。なお、マーキング手段１２は、記憶装置２１に記憶されたマーキング情報２４を受け入れてその内容を用いて識別マーク９を印刷する。マーキング情報２４は、後で説明するように、加工情報２３に基づいて生成される。
【００１５】
プレカット材８は、その後依頼部門１０に戻される。依頼部門１０では、プレカット材８が戻されたとき、第３の記録手段７がプレカット材８に付された識別マーク９を読み取り、その内容を記憶装置２１に記録する。第３の記録手段６が記憶装置２１に記録する情報を戻し情報２５と呼んでいる。記憶装置２１は、この例では、依頼部門１０と加工部門２０とから同時にアクセスできる管理サーバ１５に内蔵され、あるいは外付けされたものである。このようにすれば、管理情報をどの部門からも随時参照することができ、様々な管理が容易になる。しかし、引渡し情報２２と戻し情報２５は依頼部門１０のコンピュータに記憶、加工情報２３とマーキング情報２４は加工部門のコンピュータにそれぞれ記憶するようにして構わない。
【００１６】
第１の記録手段５や第２の記録手段６や第３の記録手段７は、識別マークの読み取り装置であって、読み取られたデータは、無線であるいはネットワークを通じて記憶装置２１を制御する管理サーバに送信される。また、マーキング情報２４は、ネットワークを通じてマーキング手段１２に送信される。さらに、管理サーバ１５には、管理手段２６が設けられている。管理手段２６は、依頼部門１０から加工部門２０に引き渡された材料の戻りを確認し管理する処理を実行するコンピュータプログラムなどから構成される。管理手段２６は、引渡し情報２２や加工情報２３を参照してマーキング情報２４を生成したり、戻し情報２５と引渡し情報２２や加工情報２３を参照して、後で説明する管理テーブルなどを生成する機能を持つ。
【００１７】
図２は、上記記憶装置２１に記憶された情報の内容説明図である。
図２に示す（ａ）は、引渡し情報２２の内容説明図である。この図に示すように引渡し情報２２は、例えば材料種別、識別マークの内容、依頼日、その他の情報からなる。材料種別の部分には、例えば、材料名、製造日、製造ロットナンバー、価格情報、出荷先の情報、などを含めることができる。識別マークの内容は、木材１に付されたラベルあるいは印刷マークの内容そのものである。依頼日は例えば、出荷日である。依頼日が記録されると、その日からこの材料が依頼部門１０に戻るまで、管理の対象に設定される。
【００１８】
図２の（ｂ）は、加工情報の内容を説明する説明図である。ここには材料種別、識別マーク、プレカット情報、加工日などが含まれる。材料種別の内容は、引渡し情報２２と同一かその一部であればよい。識別マークの内容は、引渡し情報２２と同一である。プレカット情報は、具体的に依頼部門から受け入れた一本の木材がどのように加工されるかを示す情報を含む。このプレカット情報に、プレカット処理のための設計情報がリンクしていてもよい。加工日は、実際に図１に示す加工機１１によって材料が加工された日付にする。
【００１９】
（ｃ）は、マーキング情報の内容説明図である。マーキング情報２４は、引渡し情報２２や加工情報２３の内容を参照して生成される。このうち、マーキング情報は、引渡し情報２２や加工情報２３の内容と異なる。この例では、プレカット材８には、同一の材料から切断して加工された分割後のものであることと、いくつに分割された何番目のものであるかを示す識別マーク９を付与する。例えば、識別マークが１００１の木材から分割されたプレカット材には、識別マークが１００１−１−５、１００１−２−５というように付けられる。１００１は親の木材の識別マークであり、次の−１は、その親から１番目に切り出されたプレカット材であることを表す。その次の−５は全部で５分割されたことを表す。
【００２０】
図２（ｄ）は、戻し情報の内容を説明する説明図である。ここには、
マーキング情報の加工日に換えて加工部門から依頼部門にプレカット材を戻した戻し日が記入される。その他の情報は、上記マーキング情報２４と同様である。
【００２１】
図３は、親の木材１から５分割されたプレカット材について、それぞれその識別情報の内容を示す説明図である。
プレカット材１−１には、１００１−１−５という識別マークが付与される。プレカット材１−２には、１００１−２−５という識別マークが付与される。同様の要領でプレカット材１−１から１−５まで５つに分割された全てのプレカット材にそれぞれを区別することができる識別マークが付与される。このようにして各プレカット材を管理すれば、最後に依頼部門にプレカット材が戻された場合に、元材となる木材１がどのように加工されたか、残らず依頼部門に戻ったかどうかの判断ができる。
【００２２】
なお、加工部門において例えば傷を発生させたり、あるいは加工ロスになった材料は、依頼部門には戻さない。この場合には廃棄処分として報告される。管理手段２６は、記憶装置２１に記憶された引渡し情報２２と戻し情報２５を参照して、図３（ｂ）に示すような管理テーブルを生成する。この管理テーブルを見れば、実際の元材がどのようにプレカットされ、最終的にどう処理されたかが明確になる。管理テーブルは依頼部門の管理者によって参照され、必要に応じて加工部門に通知され材料の円滑な管理に利用される。上記の引渡し情報２２と加工情報２３とマーキング情報２４と戻し情報２５は、必ずしもこのように別々に独立に設けられなくてもよい。依頼部門１０から引き渡された材料が最後に依頼部門１０に全て戻されたかどうかを管理手段２６が比較判断できるような内容であればよい。
【００２３】
図４は、図１に示したシステムの具体的な動作シーケンスチャートである。
まず、依頼部門１０では、用意した木材について加工部門への依頼処理を行う（ステップＳ１）。依頼処理に続いて既に説明した通りの引渡し情報２２の記録を行う（ステップＳ２）。引渡し情報２２を記憶装置２１に記録した後、木材を加工部門２０に移送する（ステップＳ３）。加工部門２０では、依頼部門１０から移送された木材の受け入れ処理を行う（ステップＳ４）。受け入れ処理を終了した木材は、ストックヤードに保管される（ステップＳ５）。次にストックヤードから所定のタイミングで取り出された木材は、識別マークを読み取られて加工情報２３の記録がされる（ステップＳ６）。その後木材は、プレカット処理される（ステップＳ７）。
【００２４】
次のステップＳ８において、プレカット処理された各プレカット材にはマーキングが施される。このためにマーキング情報２４の生成が行われる。なお、このマーキング情報２４はプレカット処理前に生成されていてもよい。その後、各プレカット材にマーキングが施される（ステップＳ９）。そして、完成したプレカット材は、依頼部門１０に移送される（ステップＳ１０）。依頼部門１０では受け入れたプレカット材の識別マーク９を読み取って、戻し情報２５の記録を行う（ステップＳ１１）。次にステップＳ１２において管理手段２６は、管理テーブルを生成する。その後、管理テーブルは、材料の戻り状態の評価等に利用される。例えば管理テーブルを定期的に参照して、戻り状況の不明な材料について、依頼部門１０から加工部門２０に自動的に問い合わせなどを行う処理が可能である。全てが依頼部門に戻ったと判断された材料については、管理対象から除外される。
【００２５】
図５は、本発明の変形例を示す説明図で、（ａ）は変形例の木材の斜視図、（ｂ）は他の変形例の木材の斜視図、（ｃ）はさらに別の変形例の板材の斜視図である。
本発明は、以上の実施例に限定されない。上記の実施例では、一本の木材に１個の識別マークを付けたが、この例では一本の木材３０に狭い間隔で多数の識別マーク３１、３２、３３…を付けた。これらの識別マークは、いずれも識別マークを付与した部分がこの木材３０のどの部分に相当するかまで区別できるような内容になっている。したがって、この木材３０をどのように切断したとしても、切断した材料には識別マークが付与された状態になる。即ち、材料が切断されて分割されるとき、分割後の材料片に少なくとも１つの識別マークが含まれるような密度で、材料に識別マークが付与されていればよい。
【００２６】
このため、プレカット材に新たに識別マークを付与しなくてもよい。依頼部門に戻ったプレカット材の全ての識別マークをチェックすれば、加工部門に引渡した材料全てが依頼部門に戻されたかどうかを判断できる。なお、材料にたくさんの識別マークを印刷するのは、材料の美観を損ねるおそれがある。図の（ｂ）に示す例では、蛍光塗料などによって識別マークを付与した。木材３５の側面に蛍光塗料による多数の識別マーク３６が印刷されている。この場合、普通の状態では識別マーク３６は見えない。図に示すような紫外線ランプ３７で照射すると、識別マーク３６が浮き上がって見える。すなわち、特殊なリーダーを用いて読み取れば、この識別マーク３６を認識できる。この例では識別マークが数字であるが、バーコードでも構わない。こうすることによって、識別マークを意識することなく、材料の引渡しと戻しの管理が可能になる。
【００２７】
上記の例では、柱状の木材を例にとって説明した。しかしながら、例えばボード状の板状の材料であっても同様のことが可能になる。（ｃ）は、板材３８の任意の位置に識別マーク３９を付与したものである。この場合、この板材３８がどのような寸法にカットされても、カット後の板材に識別マークが含まれるようにすることが可能である。以上の方法によって営業部門から加工部門に対し、材料の加工を依頼した時、引き渡された材料が全て加工後に戻ったかどうかの管理をコンピュータで自動的に実施できる。また、極めて正確に管理することが可能になる。
【００２８】
なお、図１に示した各機能ブロックは、それぞれ別々のプログラムモジュールにより構成してもよいし、一体化したプログラムモジュールにより構成してもよい。また、これらの機能ブロックの全部または一部を論理回路によるハードウエアで構成しても構わない。また、各プログラムモジュールは、既存のアプリケーションプログラムに組み込んで動作させてもよいし、独立のプログラムとして動作させてもよい。上記のような本発明を実現するためのコンピュータプログラムは、例えばＣＤ−ＲＯＭのようなコンピュータで読み取り可能な記録媒体に記録して、インストールして利用することができる。また、ネットワークを通じてコンピュータのメモリ中にダウンロードして利用することもできる。
【図面の簡単な説明】
【図１】本発明の材料加工管理システムの具体例を示す説明図である。
【図２】記憶装置に記憶された情報の内容説明図で、（ａ）は、引渡し情報２２の内容説明図、（ｂ）は、加工情報の内容を説明する説明図、（ｃ）はマーキング情報の説明図、（ｄ）は、戻し情報の内容を説明する説明図である。
【図３】親の木材１から５分割されたプレカット材について、それぞれその識別情報の内容を示す説明図である。
【図４】図１に示したシステムの具体的な動作シーケンスチャートである。
【図５】本発明の変形例を示す説明図で、（ａ）は変形例の木材の斜視図、（ｂ）は他の変形例の木材の斜視図、（ｃ）はさらに別の変形例の板材の斜視図である。
【符号の説明】
１  木材
３  識別マーク
５  第１の記録手段
６  第２の記録手段
７  第３の記録手段
８  プレカット材
９  識別マーク
１０  依頼部門
１２  マーキング手段
２０  加工部門
２１  記憶装置
２２  引渡し情報
２３  加工情報
２４  マーキング情報
２５  戻し情報
２６  管理手段
【図１】
0004794744.tif 000002
【図２】
0004794744.tif 000003
【図３】
0004794744.tif 000004
【図４】
0004794744.tif 000005
【図５】
0004794744.tif 000006